(57)【要約】【課題】文字盤の機能を維持しつつ文字盤を容易に取り外すことができる時計を提供する。【解決手段】時計本体１と、時計本体１に取り付けられて開口部１２が形成された文字盤２と、時計本体１との間で文字盤２を挟むように配置されると共に開口部１２から文字盤２の表面７に対向して延びるように形成された延在部１０ａ〜１０ｃと、時計本体１から開口部１２を介して文字盤２の表面７側に突出して延在部１０ａ〜１０ｃに接続された支持部１１ａ〜１１ｃとを有する指針部３ａ〜３ｃとを備え、指針部３ａ〜３ｃは、延在部１０ａ〜１０ｃを起こすように姿勢を変化させる変化部を有し、変化部により起こされた延在部１０ａ〜１０ｃに沿って文字盤２が時計本体１から取り外される。【選択図】  図２
2019007745.tif 000002
【特許請求の範囲】
【請求項１】
時計本体と、
前記時計本体に取り付けられ、開口部が形成された文字盤と、
前記時計本体との間で前記文字盤を挟むように配置されると共に前記開口部から前記文字盤の表面に対向して延びるように形成された延在部と、前記時計本体から前記開口部を介して前記文字盤の表面側に突出して前記延在部に接続された支持部とを有する指針部と
を備え、
前記指針部は、前記延在部を起こすように姿勢を変化させる変化部を有し、前記変化部により起こされた前記延在部に沿って前記文字盤が前記時計本体から取り外される時計。
【請求項２】
前記変化部は、前記延在部を起こすように回動させる回動部からなる請求項１に記載の時計。
【請求項３】
前記変化部は、前記延在部の姿勢を前記文字盤に対してほぼ直交するように変化させる請求項１または２に記載の時計。
【請求項４】
前記指針部は、複数の指針部を有し、
前記変化部は、前記複数の指針部の姿勢を前記開口部の周りに互いに異なる位置で変化させる請求項１〜３のいずれか一項に記載の時計。
【請求項５】
前記文字盤は、前記時計本体に固定するための固定部を有する請求項１〜４のいずれか一項に記載の時計。
【請求項６】
前記時計本体は、前記文字盤を前記時計本体から離れるように持ち上げるイジェクト部を有する請求項１〜５のいずれか一項に記載の時計。
【請求項７】
請求項１〜６のいずれか一項に記載の時計に取り付けられる文字盤。
【発明の詳細な説明】
【技術分野】
【０００１】
この発明は、時計および文字盤に係り、特に、時計本体に文字盤と指針部が取り付けられた時計に関する。
【背景技術】
【０００２】
従来から、時計本体に文字盤と指針部が取り付けられた時計が用いられている。一般的に、時計は、指針部が時計本体との間で文字盤を挟むように配置されているため、文字盤を時計本体から取り外す際には指針部も取り外す必要があり、文字盤の交換が困難であった。
【０００３】
そこで、文字盤の交換を容易に行う技術として、例えば、特許文献１には、好みに応じて文字盤を交換して多様な視覚感を表現できる文字盤取換え可能な時計装置が提案されている。この文字盤取換え可能な時計装置は、文字盤の一方側辺に嵌合板と嵌合する切り欠きを凹設し、文字盤をケースの開口から格納空間内へ挿入して切り欠きと嵌合板を嵌合させるため、文字盤の交換を容易に行うことができる。
【先行技術文献】
【特許文献】
【０００４】
【特許文献１】実用新案登録第３０６５５３５号公報
【発明の概要】
【発明が解決しようとする課題】
【０００５】
しかしながら、特許文献１の文字盤取換え可能な時計装置では、文字盤に切り欠きを形成するため、文字盤の機能、例えば時刻の視認性および意匠性などを大きく低下させるおそれがあった。
【０００６】
この発明は、このような従来の問題点を解消するためになされたもので、文字盤の機能を維持しつつ文字盤を容易に取り外すことができる時計を提供することを目的とする。
【課題を解決するための手段】
【０００７】
この発明に係る時計は、時計本体と、時計本体に取り付けられ、開口部が形成された文字盤と、時計本体との間で文字盤を挟むように配置されると共に開口部から文字盤の表面に対向して延びるように形成された延在部と、時計本体から開口部を介して文字盤の表面側に突出して延在部に接続された支持部とを有する指針部とを備え、指針部は、延在部を起こすように姿勢を変化させる変化部を有し、変化部により起こされた延在部に沿って文字盤が時計本体から取り外されるものである。
【０００８】
ここで、変化部は、延在部を起こすように回動させる回動部からなることが好ましい。
【０００９】
また、変化部は、延在部の姿勢を文字盤に対してほぼ直交するように変化させることが好ましい。
【００１０】
また、指針部は、複数の指針部を有し、変化部は、複数の指針部の姿勢を開口部の周りに互いに異なる位置で変化させることができる。
【００１１】
また、文字盤は、時計本体に固定するための固定部を有することが好ましい。
【００１２】
また、時計本体は、文字盤を時計本体から離れるように持ち上げるイジェクト部を有することが好ましい。
【００１３】
この発明に係る文字盤は、上記のいずれかに記載の時計に取り付けられるものである。
【発明の効果】
【００１４】
この発明によれば、指針部が延在部を起こすように姿勢を変化させる変化部を有し、変化部により起こされた延在部に沿って文字盤が時計本体から取り外されるので、文字盤の機能を維持しつつ文字盤を容易に取り外すことができる時計を提供することが可能となる。
【図面の簡単な説明】
【００１５】
【図１】この発明の実施の形態１に係る時計の構成を示す図である。
【図２】指針部の構成を示す断面図である。
【図３】延在部が回動部により回動する様子を示す図である。
【図４】文字盤を交換する様子を示す図である。
【図５】実施の形態２の文字盤の構成を示す図である。
【図６】実施の形態３において文字盤を時計本体から取り外す様子を示す図である。
【図７】実施の形態４の回動部の構成を示す図である。
【図８】実施の形態５の時計本体の構成を示す図である。
【図９】実施の形態１〜５の変形例に係る変化部の構成を示す図である。
【発明を実施するための形態】
【００１６】
以下、この発明の実施の形態を添付図面に基づいて説明する。
実施の形態１
図１に、この発明の実施の形態１に係る時計の構成を示す。この時計は、手首に巻くように装着される腕時計であり、時計本体１を有し、この時計本体１に文字盤２、３つの指針部３ａ〜３ｃ、保護部４、表示部５およびベルト６が取り付けられている。
【００１７】
時計本体１は、文字盤２などの各部を支持するもので、手首に沿って拡がるような形状を有する。時計本体１は、例えば、金属などの剛性が高い材料から構成することができる。また、時計本体１は、図示しない情報入力部を有し、例えば情報入力部から音楽情報を入力して音楽を無線で出力することができる。
文字盤２は、円盤形状を有し、時計本体１に取り付けられている。また、文字盤２の表面７には、時刻と共に装飾部８が表示されている。
【００１８】
指針部３ａ〜３ｃは、文字盤２の表面７に表示された時刻を指し示すもので、文字盤２に平行な面内を回転するように設けられている。指針部３ａは、文字盤２の時刻において秒を指す秒針である。指針部３ｂは、文字盤２の時刻において分を指す分針である。指針部３ｃは、文字盤２の時刻において時を指す時針である。
保護部４は、文字盤２などを保護するもので、文字盤２を覆うように配置されている。また、保護部４の縁部には開閉部９が設けられており、この開閉部９により保護部４が回転するように開閉される。
【００１９】
表示部５は、外部に情報を表示するもので、液晶モニタなどから構成されている。表示部５は、例えば時計本体１の情報入力部に接続することができ、情報入力部に入力される曲名などの音楽情報を表示する。
ベルト６は、時計本体１を手首に固定するためのもので、時計本体１の対向する一対の縁部に取り付けられて手首に巻くように形成されている。
【００２０】
次に、指針部３ａ〜３ｃの構成について詳細に説明する。
図２に示すように、指針部３ａ〜３ｃは、延在部１０ａ〜１０ｃと、支持部１１ａ〜１１ｃとを有する。
延在部１０ａ〜１０ｃは、それぞれ、時計本体１との間で文字盤２を挟むように配置されている。ここで、文字盤２には中央部近傍に開口部１２が形成されており、延在部１０ａ〜１０ｃは文字盤２の開口部１２から縁部に向かって文字盤２の表面７と平行に延びるように形成されている。この時、延在部１０ａ〜１０ｃは、文字盤２に対して直交する方向に互いに異なる位置に配置されており、延在部１０ａ、延在部１０ｂおよび延在部１０ｃの順に文字盤２から離れて配置されている。
【００２１】
支持部１１ａ〜１１ｃは、時計本体１から開口部１２を介して文字盤２の表面７側に突出するように設けられ、先端部が延在部１０ａ〜１０ｃに接続されている。すなわち、支持部１１ａが最も突出して延在部１０ａに接続されると共に支持部１１ｂが支持部１１ａと支持部１１ｃの間に突出して延在部１０ｂに接続され、支持部１１ｃが最も小さく突出して延在部１０ｃに接続されている。この支持部１１ａ〜１１ｃは、文字盤２に対して直交するように延びる軸を回転中心Ｌとして回転するように時計本体１に取り付けられており、時計本体１に設けられた駆動部１３により時間の進行に応じてそれぞれ回転される。
【００２２】
また、指針部３ａ〜３ｃは、延在部１０ａ〜１０ｃを起こすように回動させて延在部１０ａ〜１０ｃの姿勢を変化させる回動部１４ａ〜１４ｃを有する。この回動部１４ａ〜１４ｃは、延在部１０ａ〜１０ｃの基端部近傍に配置されている。
【００２３】
図３（ａ）に示すように、回動部１４ａは、延在部１０ａの基端部近傍に配置され、延在部１０ａを文字盤２の表面７から起こすように回動させる。具体的には、回動部１４ａは、回動軸部１５ａと、突き当たり部１６ａと、突き当たり部１７ａとを有する。
回動軸部１５ａは、延在部１０ａを回動させる軸となるもので、延在部１０ａに直交する方向に延びるように配置されている。
【００２４】
突き当たり部１６ａは、延在部１０ａが文字盤２に平行に延びる姿勢を維持するために延在部１０ａの基端部近傍に突き当たって延在部１０ａを支持するもので、延在部１０ａの裏面側に形成されている。
突き当たり部１７ａは、図３（ｂ）に示すように、延在部１０ａ〜１０ｃを９０度回動させた時に延在部１０ａの基端部近傍に突き当たって延在部１０ａ〜１０ｃの姿勢を維持するもので、延在部１０ａの表面側に形成されている。
このように、延在部１０ａは、文字盤２に対してほぼ直交するように回動軸部１５ａにより回動されて、その姿勢が突き当たり部１７ａにより維持される。なお、回動部１４ｂおよび１４ｃは、回動部１４ａとほぼ同じ構成を有する。
【００２５】
ここで、回動部１４ａ〜１４ｃは、図２に示すように、文字盤２に沿う方向において開口部１２の内側に位置されている。このため、延在部１０ａ〜１０ｃは、回動部１４ａ〜１４ｃにより文字盤２の表面７に対して直交するまで起こされると、文字盤２に沿う方向において開口部１２の内側に位置されることになる。すなわち、延在部１０ａ〜１０ｃは、開口部１２から開口方向に延びるように起こされる。そして、回動部１４ａ〜１４ｃにより起こされた延在部１０ａ〜１０ｃに沿って開口部１２を移動させることにより、文字盤２が時計本体１から取り外される。
【００２６】
次に、この実施の形態１の動作について説明する。
まず、図１に示すように、装飾部８が表示された文字盤２が時計本体１に取り付けられている。この時、図２に示すように、指針部３ａ〜３ｃは、文字盤２に表示された時刻を指し示すように駆動部１３により文字盤２の表面７上を回転している。
【００２７】
続いて、例えば図示しない駆動停止スイッチが押されることにより駆動部１３が停止されて、指針部３ａ〜３ｃの回転が停止される。そして、指針部３ａ〜３ｃを覆う保護部４が、時計本体１から離れるように手で押し上げられ、開閉部９の回転により文字盤２に重ならない位置まで開かれる。
【００２８】
保護部４が開かれると、指針部３ａ〜３ｃの先端部が文字盤２から離れるように手で押し上げられる。これにより、指針部３ａ〜３ｃの延在部１０ａ〜１０ｃが、図３（ａ）および（ｂ）に示すように、回動部１４ａ〜１４ｃにより回動されて、文字盤２の表面７に対してほぼ直交するように姿勢が変化される。この時、回動部１４ａ〜１４ｃの突き当たり部１７ａ〜１７ｃが延在部１０ａ〜１０ｃの基端部近傍に突き当たるため、延在部１０ａ〜１０ｃを文字盤２にほぼ直交する位置まで容易に起こすことができる。また、回動部１４ａ〜１４ｃは、回動軸部１５ａ〜１５ｃにより回動する簡単な構成からなるため、延在部１０ａ〜１０ｃに容易に設けることができる。
【００２９】
ここで、回動部１４ａ〜１４ｃは、図２に示すように、文字盤２に沿う方向において互いに異なる位置に配置されている。具体的には、回動部１４ａ〜１４ｃは、文字盤２に直交する方向に離れて配置されるほど、指針部３ａ〜３ｃの回転中心Ｌに近い位置に配置されている。これにより、延在部１０ａ〜１０ｃの回動位置が文字盤２に沿う方向にずれるため、延在部１０ａ〜１０ｃを文字盤２に直交する方向に重なる位置で回動させた場合でも、延在部１０ａ〜１０ｃを互いに接触させることなく起こすことができる。
【００３０】
また、延在部１０ａ〜１０ｃを互いに重なる位置に移動させることで、回動部１４ａ〜１４ｃにより延在部１０ａ〜１０ｃを一度に回動させることができる。例えば、駆動部１３に位置合わせスイッチを接続し、この位置合わせスイッチを押すことで指針部３ａ〜３ｃを文字盤２の同じ位置を指すように自動的に回転させて、延在部１０ａ〜１０ｃを互いに重なる位置に移動させることができる。この時、重なる位置に移動された延在部１０ａ〜１０ｃをまとめて起こすための起こし部材を時計本体１に収納することが好ましい。この起こし部材を文字盤２の縁部などに収納することで起こし部材を容易に取り出すことができ、延在部１０ａ〜１０ｃをスムーズに起こすことができる。例えば、起こし部材は、フック形状に形成することができ、これにより延在部１０ａ〜１０ｃを下から引き上げるように起こすことができる。
【００３１】
なお、回動部１４ａ〜１４ｃは、文字盤２に沿う方向において延在部１０ａ〜１０ｃの厚みとほぼ同じ距離だけ順次離れるように配置することが好ましい。これにより、回動部１４ａ〜１４ｃが文字盤２に沿う方向に近接して配置されるため、回動部１４ａ〜１４ｃの配置に応じて文字盤２の開口部１２をより小さく形成することができる。
【００３２】
また、回動部１４ａ〜１４ｃは、文字盤２の開口部１２の周りに互いに異なる位置で延在部１０ａ〜１０ｃを回動して指針部３ａ〜３ｃの姿勢を変化させるように構成することが好ましい。例えば、回動部１４ａ〜１４ｃは、図４（ａ）に示すように、文字盤２の開口部１２の周りに互いに９０度異なる位置Ｐａ〜Ｐｃに延在部１０ａ〜１０ｃを移動させた状態で回動するように構成することができる。これにより、延在部１０ａ〜１０ｃを互いに接触させることなくスムーズに起こすことができる。また、延在部１０ａ〜１０ｃの接触を抑制することができるため回動部１４ａ〜１４ｃを文字盤２に沿う方向において互いに同じ位置に配置することもでき、文字盤２の開口部１２をさらに小さく形成することができる。
ここで、指針部３ａ〜３ｃは、図示しない移動スイッチを押すことで、文字盤２の開口部１２の周りに互いに異なる位置に自動的に移動することが好ましい。このように、指針部３ａ〜３ｃが自動的に移動することで、延在部１０ａ〜１０ｃを容易に起こすことができる。
【００３３】
このようにして、延在部１０ａ〜１０ｃは、文字盤２の表面７に直交する位置、すなわち表面７に対向しない位置まで起こされて、開口部１２の範囲内で開口方向に延びるように姿勢を変更する。これにより、図４（ｂ）に示すように、開口部１２を介して文字盤２を延在部１０ａ〜１０ｃに沿ってスムーズに移動させることができ、時計本体１から指針部３ａ〜３ｃを外すことなく、文字盤２を時計本体１から容易に取り外すことができる。
【００３４】
続いて、図４（ｃ）に示すように、新たな文字盤１８の開口部１２に延在部１０ａ〜１０ｃを挿入して文字盤１８を時計本体１に取り付けることができ、文字盤２を文字盤１８に容易に交換することができる。
例えば、文字盤２の装飾部８と異なる装飾部１９が表示された文字盤１８に交換することができる。従来、時計本体１から文字盤２を取り外すことは困難であり、文字盤２の装飾部８を変更するために新しく時計を購入することがあった。本発明においては、文字盤２を容易に交換することができるため、文字盤２を文字盤１８に交換するだけで装飾部８を装飾部１９に変更することができる。また、文字盤１８は、例えば、自分でデザインした装飾部１９または芸術家が描いた装飾部１９などの様々な装飾部１９を表示することができる。また、文字盤１８は、歌手の音楽に対応した装飾部１９を表示することもでき、例えば時計本体１において図示しない情報入力部に入力される音楽に対応する装飾部１９またはコンパクトディスク（ＣＤ）などの音楽媒体のデザインに対応する装飾部１９などを表示することができる。
【００３５】
このようにして、装飾部１９が表示された文字盤１８が時計本体１に取り付けられると、延在部１０ａ〜１０ｃが回動部１４ａ〜１４ｃにより回動されて文字盤１８に平行な姿勢に戻される。この時、回動部１４ａ〜１４ｃの突き当たり部１６ａ〜１６ｃが延在部１０ａ〜１０ｃの基端部近傍に突き当たるため、延在部１０ａ〜１０ｃの姿勢を容易に戻すことができる。
そして、図示しない駆動停止スイッチを解除して駆動部１３を駆動させることで、時刻に応じた指針部３ａ〜３ｃの回転が再開される。
【００３６】
本実施の形態によれば、指針部３ａ〜３ｃが延在部１０ａ〜１０ｃを起こすように姿勢を変化させる回動部１４ａ〜１４ｃを有するため、回動部１４ａ〜１４ｃにより起こされた延在部１０ａ〜１０ｃに沿って文字盤２を時計本体１から取り外すことができる。このため、文字盤２を取り外すために文字盤２の形状を無用に変更する必要がなく、文字盤２における時刻の視認性および意匠性などの機能を維持しつつ文字盤２を容易に取り外すことができる。
【００３７】
実施の形態２
上記の実施の形態１において、文字盤２および１８は、時計本体１に固定するための固定部を有することが好ましい。
例えば、図５に示すように、実施の形態１において文字盤１８は、固定部２１を有することができる。また、時計本体１には、固定部２１に対応する凹部２２が形成されている。
固定部２１は、文字盤１８の縁部近傍において互いに対向する２箇所に配置され、文字盤１８の裏面２３から突出するように形成されている。
【００３８】
ここで、固定部２１は、凹部２２に挿入された時に文字盤１８の時刻の表示が時計本体１の所定の箇所に位置されるように設けられている。このため、固定部２１を時計本体１の凹部２２に挿入することで、文字盤１８を時計本体１に対して位置合わせすることができる。
本実施の形態によれば、文字盤１８が時計本体１に固定するための固定部２１を有するため、文字盤１８を時計本体１に対して容易に位置合わせすることができる。
【００３９】
実施の形態３
上記の実施の形態１および２において、時計本体１は、文字盤２および１８を時計本体１から離れるように持ち上げるイジェクト部を有することが好ましい。
例えば、図６（ａ）に示すように、実施の形態１において時計本体１は、イジェクト部３１を有することができる。このイジェクト部３１は、持ち上げ部３２と、ロック部３３と、解除スイッチ３４とを有する。
【００４０】
持ち上げ部３２は、文字盤２を時計本体１から離れる方向に持ち上げるもので、持ち上げ本体３５と、付勢部３６とを有する。持ち上げ本体３５は、時計本体１内を文字盤２に直交する方向に延びる柱形状を有し、先端部が文字盤２の裏面２３に当接されている。また、持ち上げ本体３５は、側面から突出する突出部３７が形成されている。
ロック部３３は、持ち上げ本体３５の突出部３７に対して上側から係合して持ち上げ部３２をロックするもので、持ち上げ本体３５を収容する収容部３８の側壁部から突出するように配置されている。また、ロック部３３は、収容部３８の側壁部から突出する突出状態から収容部３８内に退避可能に設けられ、収容部３８内に退避することで持ち上げ部３２のロックが解除される。
解除スイッチ３４は、ロック部３３に接続されて、ロック部３３を収容部３８内に退避させるものである。
【００４１】
このように、ロック部３３が持ち上げ部３２をロックした状態では、持ち上げ部３２は収容部３８内に収容されて文字盤２を持ち上げないため、文字盤２は時計本体１に取り付けられたまま維持される。続いて、文字盤２を時計本体１から取り外す場合には、解除スイッチ３４を押すことによりロック部３３が収容部３８内に退避される。
これにより、ロック部３３による持ち上げ本体３５のロックが解除されて、図６（ｂ）に示すように、付勢部３６により付勢された持ち上げ本体３５が文字盤２を時計本体１から離すように持ち上げる。このように、文字盤２が時計本体１から離されることにより、文字盤２と時計本体１との間に指をスムーズに差し入れることができ、回動部１４ａ〜１４ｃにより起こされた延在部１０ａ〜１０ｃに沿って文字盤２を容易に取り外すことができる。
なお、ロック部３３は、収容部３８の側壁部から突出するように付勢されており、持ち上げ本体３５の突出部３７がロック部３３の正面から移動することにより収容部３８の側壁部から突出するように移動される。
【００４２】
本実施の形態によれば、時計本体１が文字盤２を時計本体１から離れるように持ち上げるイジェクト部３１を有するため、文字盤２を時計本体１から容易に取り外すことができる。
【００４３】
実施の形態４
上記の実施の形態１〜３において、回動部１４ａ〜１４ｃは、延在部１０ａ〜１０ｃを回動方向に付勢して延在部１０ａ〜１０ｃの姿勢の変更を補助する補助部を有することが好ましい。
例えば、図７に示すように、実施の形態１において回動部１４ａは、補助部４１ａを有することができる。この補助部４１ａは、延在部１０ａの表面に配置され、延在部１０ａを基端部側に付勢して延在部１０ａが起きるのを補助するものである。
【００４４】
これにより、延在部１０ａを軽く起こすだけで補助部４１ａの付勢により延在部１０ａを自動的に起こすことができ、延在部１０ａの姿勢を容易に変更することができる。また、延在部１０ａを起こす時に加わる圧力を低減することができ、延在部１０ａの変形などを抑制することができる。
なお、回動部１４ｂおよび１４ｃは、回動部１４ａと同様の補助部を有する。
【００４５】
本実施の形態によれば、回動部１４ａ〜１４ｃが延在部１０ａ〜１０ｃを回動方向に付勢して延在部１０ａ〜１０ｃの姿勢の変更を補助する補助部４１ａ〜４１ｃを有するため、延在部１０ａ〜１０ｃの姿勢を容易に変更することができる。
また、回動部１４ａ〜１４ｃは、延在部１０ａ〜１０ｃに手で触れることなく、延在部１０ａ〜１０ｃを自動的に回動させるように構成することもできる。
【００４６】
実施の形態５
上記の実施の形態１〜４において、時計本体１は、指針部３ａ〜３ｃの位置ずれを修正するための修正部を有することが好ましい。
例えば、図８に示すように、実施の形態１において時計本体１は、駆動部１３に新たに修正部５１を接続することができる。この修正部５１は、標準電波送信所などから送信される標準時刻信号を受信する受信部を有し、この受信部で受信された標準時刻と指針部３ａ〜３ｃの位置に基づいて標準時刻からの指針部３ａ〜３ｃのずれ量を算出する。算出されたずれ量は、修正部５１から駆動部１３に出力される。
【００４７】
そして、駆動部１３が、修正部５１から入力されたずれ量に基づいて指針部３ａ〜３ｃの位置を修正する。
これにより、指針部３ａ〜３ｃは、例えば延在部１０ａ〜１０ｃの回動により位置ずれが生じた場合でも、修正部５１により修正されるため、時刻を正確に指し示すことができる。
【００４８】
本実施の形態によれば、時計本体１が指針部３ａ〜３ｃの位置ずれを修正するための修正部５１を有するため、指針部３ａ〜３ｃにより時刻を正確に指し示すことができる。
【００４９】
なお、上記の実施の形態１〜５では、延在部１０ａ〜１０ｃは、文字盤２の開口部１２から縁部に向かって文字盤２の表面７に平行に延びるように形成されていたが、開口部１２から文字盤２の表面７に対向して延びるように形成されていればよく、表面７に平行に延びるものに限られるものではない。例えば、延在部１０ａ〜１０ｃは、文字盤２の表面７に対して斜め方向に延びるように形成することもできる。
【００５０】
また、上記の実施の形態１〜５では、回動部１４ａ〜１４ｃは、延在部１０ａ〜１０ｃを文字盤２に対してほぼ直交するように回動させたが、延在部１０ａ〜１０ｃを起こすように回動させることができればよく、これに限られるものではない。
また、上記の実施の形態１〜５では、回動部１４ａ〜１４ｃは、延在部１０ａ〜１０ｃを文字盤２に対して互いに同じ角度だけ回動させたが、延在部１０ａ〜１０ｃを起こすように回動させることができればよく、これに限られるものではない。例えば、回動部１４ａ〜１４ｃは、延在部１０ａ〜１０ｃの長さに応じて回動させる角度を変えることができる。すなわち、長く形成された延在部１０ａは、短く形成された延在部１０ｂに対して大きく回動させる。これにより、延在部１０ａ〜１０ｃを起こした際に開口部１２の中心から同じ拒離だけ拡がるように延在部１０ａ〜１０ｃを配置することができ、文字盤２の開口部１２をより小さく形成することができる。
【００５１】
また、上記の実施の形態１〜５では、回動部１４ａ〜１４ｃは、延在部１０ａ〜１０ｃを起こすように回動させたが、延在部１０ａ〜１０ｃを起こすように姿勢を変化させる変化部であればよく、回動させるものに限られるものではない。
例えば、図９に示すように、実施の形態１の回動部１４ａに換えて変化部６１ａを配置することができる。この変化部６１ａは、延在部１０ａを起こすように折り曲げて延在部１０ａの姿勢を変化させるもので、延在部１０ａの表面に凹部状に形成されている。
なお、変化部としては、延在部１０ａ〜１０ｃを柔軟な材料から構成することで、延在部１０ａ〜１０ｃを起こすように折り曲げて姿勢を変化させるものでもよい。この時、変化部は、形状記憶を有するように形成することが好ましい。
【００５２】
また、上記の実施の形態１〜５において、文字盤２および１８は、伸縮性を有する材料、例えばゴムおよびシリコンなどから構成することができる。同様に、文字盤２および１８に表示される時刻および装飾部も伸縮性を有する材料から構成することができる。
これにより、文字盤２および１８の開口部１２を変形させることができ、開口部１２を小さく形成した場合でも延在部１０ａ〜１０ｃに沿って文字盤２および１８をスムーズに移動させることができる。例えば、文字盤２に沿う方向において回動部１４ａ〜１４ｃを開口部１２の外側に配置した場合、すなわち回動部１４ａ〜１４ｃにより起こされた延在部１０ａ〜１０ｃの拡がりが開口部１２より大きい場合でも、開口部１２を変形させることで文字盤２を延在部１０ａ〜１０ｃに沿って取り外すことができる。
【００５３】
また、上記の実施の形態１〜５において、文字盤２および１８は、時刻および装飾部を立体的に表示することができる。例えば、文字盤２は、保護部４を開いたときに飛び出すように装飾部８を形成することができる。また、文字盤２は、三次元的に動くように装飾部８を形成することもできる。
また、上記の実施の形態１〜５では、文字盤２および１８は、円盤形状に形成されたが、開口部１２が形成されていればよく、円盤形状に限られるものではない。
【００５４】
また、上記の実施の形態１〜５において、指針部３ａ〜３ｃは、文字盤２上を時刻に応じて回転するように設けられたが、文字盤２の表面７に対向して延びるように形成されていればよく、時刻に応じて回転するものに限られるものではない。例えば、文字盤２の装飾部８を動くように形成した場合には、その装飾部８の動きに応じて指針部３ａ〜３ｃが回動するように設けることができる。また、指針部３ａ〜３ｃは、文字盤２に表示された時刻に対して逆回転するように設けることもできる。
【００５５】
また、上記の実施の形態１〜５では、時計は、３つの指針部３ａ〜３ｃを有していたが、１つの指針部を有するように構成することもできる。
また、上記の実施の形態１〜５では、時計は、腕時計として構成されたが、指針部３ａ〜３ｃが時計本体１との間で文字盤２を挟むように配置されていればよく、腕時計に限られるものではない。例えば、時計は、掛時計、置き時計、懐中時計および目覚まし時計などに適用することもできる。
【符号の説明】
【００５６】
１  時計本体、２，１８  文字盤、３ａ〜３ｃ  指針部、４  保護部、５  表示部、６  ベルト、７  文字盤の表面、８，１９  文字盤の装飾部、９  開閉部、１０ａ〜１０ｃ  延在部、１１ａ〜１１ｃ  支持部、１２  開口部、１３  駆動部、１４ａ〜１４ｃ  回動部、１５ａ  回動軸部、１６ａ，１７ａ  突き当たり部、２１  固定部、２２  凹部、２３  文字盤の裏面、３１  イジェクト部、３２  持ち上げ部、３３  ロック部、３４  解除スイッチ、３５  持ち上げ本体、３６  付勢部、３７  突出部、３８  収容部、４１ａ  補助部、５１  修正部、６１ａ  変化部、Ｌ  回転中心、Ｐａ〜Ｐｃ  位置。
【図１】
2019007745.tif 000003
【図２】
2019007745.tif 000004
【図３】
2019007745.tif 000005
【図４】
2019007745.tif 000006
【図５】
2019007745.tif 000007
【図６】
2019007745.tif 000008
【図７】
2019007745.tif 000009
【図８】
2019007745.tif 000010
【図９】
2019007745.tif 000011
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
時計本体と、
前記時計本体に取り付けられ、開口部が形成された文字盤と、
前記時計本体との間で前記文字盤を挟むように配置されると共に前記開口部から前記文字盤の表面に対向して延びるように形成された延在部と、前記時計本体から前記開口部を介して前記文字盤の表面側に突出して前記延在部に直接的に接続された支持部とを有する指針部と
を備え、
前記指針部は、前記延在部に配置されて前記延在部の先端部側を基端部側に対して前記文字盤から離れる方向に起こすように姿勢を変化させる変化部を有し、前記変化部により起こされた前記延在部に沿って前記文字盤が前記時計本体から取り外される時計。
【請求項２】
前記変化部は、前記延在部を起こすように回動させる回動部からなる請求項１に記載の時計。
【請求項３】
前記変化部は、前記延在部の姿勢を前記文字盤に対してほぼ直交するように変化させる請求項１または２に記載の時計。
【請求項４】
前記指針部は、それぞれ、前記延在部に前記変化部が配置された複数の指針部を有し、
前記変化部は、前記複数の指針部の前記延在部の姿勢を前記開口部の周りに互いに異なる位置で変化させる請求項１〜３のいずれか一項に記載の時計。
【請求項５】
前記文字盤は、前記時計本体に固定するための固定部を有する請求項１〜４のいずれか一項に記載の時計。
【請求項６】
前記時計本体は、前記文字盤を前記時計本体から離れるように持ち上げるイジェクト部を有する請求項１〜５のいずれか一項に記載の時計。
【請求項７】
請求項１〜６のいずれか一項に記載の時計に取り付けられる文字盤。
【手続補正２】
【補正対象書類名】明細書
【補正対象項目名】０００７
【補正方法】変更
【補正の内容】
【０００７】
この発明に係る時計は、時計本体と、時計本体に取り付けられ、開口部が形成された文字盤と、時計本体との間で文字盤を挟むように配置されると共に開口部から文字盤の表面に対向して延びるように形成された延在部と、時計本体から開口部を介して文字盤の表面側に突出して延在部に直接的に接続された支持部とを有する指針部とを備え、指針部は、延在部に配置されて延在部の先端部側を基端部側に対して文字盤から離れる方向に起こすように姿勢を変化させる変化部を有し、変化部により起こされた延在部に沿って文字盤が時計本体から取り外されるものである。
【手続補正３】
【補正対象書類名】明細書
【補正対象項目名】００１０
【補正方法】変更
【補正の内容】
【００１０】
また、指針部は、それぞれ、延在部に変化部が配置された複数の指針部を有し、変化部は、複数の指針部の延在部の姿勢を開口部の周りに互いに異なる位置で変化させることができる。